【手続補正書】
【提出日】平成23年6月6日(2011.6.6)
【手続補正１】
【補正対象書類名】特許請求の範囲
【補正対象項目名】全文
【補正方法】変更
【補正の内容】
【特許請求の範囲】
【請求項１】
高速肯定応答／否定応答レポーティング（ＦＡＮＲ）動作のための方法であって、
無線リンク制御／メディアアクセス制御（ＲＬＣ／ＭＡＣ）ヘッダ及び対応するＲＬＣ／ＭＡＣデータブロックを含む一時ブロックフロー（Ｔｅｍｐｏｒａｒｙ  Ｂｌｏｃｋ  Ｆｌｏｗ）（ＴＢＦ）を受信するステップであって、前記ＲＬＣ／ＭＡＣヘッダは、肯定応答／否定応答（ＡＣＫ／ＮＡＣＫ）ポーリング方式に関する情報と、前記対応するＲＬＣ／ＭＡＣデータブロックのピギーバックＡＣＫ／ＮＡＣＫ（ＰＡＮ）フィールドの存在又は欠如とを同時に示す連続４ビットを含み、前記連続４ビットのうち１ビットが前記対応するＲＬＣ／ＭＡＣデータブロックの前記ＰＡＮフィールドの存在又は欠如を示すように割り当てられ、前記ＰＡＮフィールドの存在又は欠如を示すように割り当てられたビットと前記連続４ビットのうち残りの３ビットとの複数のビット組合せのそれぞれは、前記ＡＣＫ／ＮＡＣＫポーリング方式と前記対応するＲＬＣ／ＭＡＣデータブロックの前記ＰＡＮフィールドの存在又は欠如との異なる組合せを示す、受信するステップと、
前記ＡＣＫ／ＮＡＣＫポーリング方式と前記対応するＲＬＣ／ＭＡＣデータブロックの前記ＰＡＮフィールドの存在又は欠如とを識別するように前記ＲＬＣ／ＭＡＣヘッダの前記連続４ビットを処理するステップと
を備えたことを特徴とする方法。
【請求項２】
前記連続４ビットの前記ＡＣＫ／ＮＡＣＫポーリング方式に関する前記情報は、相対予約ブロック期間（ＲＲＢＰ）インジケータ及び拡張汎用パケット無線サービス（Ｅ−ＧＰＲＳ）補助ポーリング（ＥＳ／Ｐ）インジケータを含むことを特徴とする請求項１に記載の方法。
【請求項３】
前記ＲＬＣ／ＭＡＣデータブロックの前記ＰＡＮフィールドは、第１の無線送信／受信ユニット（ＷＴＲＵ）にアドレス指定され、前記ＲＬＣ／ＭＡＣデータブロックのデータは、第２のＷＴＲＵにアドレス指定されていることを特徴とする請求項１に記載の方法。
【請求項４】
前記ＴＢＦは、ＧＳＭ／ＥＤＧＥ無線アクセスネットワーク（ＧＥＲＡＮ）を介して受信されることを特徴とする請求項１に記載の方法。
【請求項５】
高速肯定応答／否定応答レポーティング（ＦＡＮＲ）動作のための無線送信／受信ユニット（ＷＴＲＵ）であって、
無線リンク制御／メディアアクセス制御（ＲＬＣ／ＭＡＣ）ヘッダ及び対応するＲＬＣ／ＭＡＣデータブロックを含む一時ブロックフロー（Ｔｅｍｐｏｒａｒｙ  Ｂｌｏｃｋ  Ｆｌｏｗ）（ＴＢＦ）を受信するように構成された受信器であって、前記ＲＬＣ／ＭＡＣヘッダは、肯定応答／否定応答（ＡＣＫ／ＮＡＣＫ）ポーリング方式に関する情報と、前記対応するＲＬＣ／ＭＡＣデータブロックのピギーバックＡＣＫ／ＮＡＣＫ（ＰＡＮ）フィールドの存在又は欠如とを同時に示す連続４ビットを含み、前記連続４ビットのうち１ビットが前記対応するＲＬＣ／ＭＡＣデータブロックの前記ＰＡＮフィールドの存在又は欠如を示すように割り当てられ、前記ＰＡＮフィールドの存在又は欠如を示すように割り当てられたビットと前記連続４ビットのうち残りの３ビットとの複数のビット組合せのそれぞれは、前記ＡＣＫ／ＮＡＣＫポーリング方式と前記対応するＲＬＣ／ＭＡＣデータブロックの前記ＰＡＮフィールドの存在又は欠如との異なる組合せを示す、受信器と、
前記ＡＣＫ／ＮＡＣＫポーリング方式と前記対応するＲＬＣ／ＭＡＣデータブロックの前記ＰＡＮフィールドの存在又は欠如とを識別するように前記ＲＬＣ／ＭＡＣヘッダの前記連続４ビットを処理するように構成されたコントローラと
を備えたことを特徴とする無線送信／受信ユニット。
【請求項６】
前記連続４ビットの前記ＡＣＫ／ＮＡＣＫポーリング方式に関する前記情報は、相対予約ブロック期間（ＲＲＢＰ）インジケータ及び拡張汎用パケット無線サービス（Ｅ−ＧＰＲＳ）補助ポーリング（ＥＳ／Ｐ）インジケータを含むことを特徴とする請求項５に記載の無線送信／受信ユニット。
【請求項７】
前記ＲＬＣ／ＭＡＣデータブロックの前記ＰＡＮフィールド及び前記ＲＬＣ／ＭＡＣデータブロックのデータは、異なる無線送信／受信ユニットにアドレス指定されていることを特徴とする請求項５に記載の無線送信／受信ユニット。
【請求項８】
前記ＴＢＦは、ＧＳＭ／ＥＤＧＥ無線アクセスネットワーク（ＧＥＲＡＮ）を介して受信されることを特徴とする請求項５に記載の無線送信／受信ユニット。
【請求項９】
高速肯定応答／否定応答レポーティング（ＦＡＮＲ）動作のための方法であって、
肯定応答／否定応答（ＡＣＫ／ＮＡＣＫ）ポーリング方式に関する情報と、対応する無線リンク制御／メディアアクセス制御（ＲＬＣ／ＭＡＣ）データブロックのピギーバックＡＣＫ／ＮＡＣＫ（ＰＡＮ）フィールドの存在又は欠如とを同時に示す連続４ビットを含むＲＬＣ／ＭＡＣヘッダを生成するステップであって、前記連続４ビットのうち１ビットが前記対応するＲＬＣ／ＭＡＣデータブロックの前記ＰＡＮフィールドの存在又は欠如を示すように割り当てられ、前記ＰＡＮフィールドの存在又は欠如を示すように割り当てられたビットと前記連続４ビットのうち残りの３ビットとの複数のビット組合せのそれぞれは、前記ＡＣＫ／ＮＡＣＫポーリング方式と前記対応するＲＬＣ／ＭＡＣデータブロックの前記ＰＡＮフィールドの存在又は欠如との異なる組合せを示す、生成するステップと、
前記ＲＬＣ／ＭＡＣヘッダと前記対応するＲＬＣ／ＭＡＣデータブロックとを送信するステップと
を備えることを特徴とする方法。
【請求項１０】
前記連続４ビットの前記ＡＣＫ／ＮＡＣＫポーリング方式に関する前記情報は、相対予約ブロック期間（ＲＲＢＰ）インジケータ及び拡張汎用パケット無線サービス（Ｅ−ＧＰＲＳ）補助ポーリング（ＥＳ／Ｐ）インジケータを含むことを特徴とする請求項９に記載の方法。
【請求項１１】
前記ＲＬＣ／ＭＡＣデータブロックの前記ＰＡＮフィールドは、第１の無線送信／受信ユニット（ＷＴＲＵ）にアドレス指定され、前記ＲＬＣ／ＭＡＣデータブロックのデータは、第２のＷＴＲＵにアドレス指定されていることを特徴とする請求項９に記載の方法。
【請求項１２】
前記ＲＬＣ／ＭＡＣデータブロックは、ＧＳＭ／ＥＤＧＥ無線アクセスネットワーク（ＧＥＲＡＮ）を介して送信されることを特徴とする請求項９に記載の方法。
【請求項１３】
高速肯定応答／否定応答レポーティング（ＦＡＮＲ）動作のための装置であって、
肯定応答／否定応答（ＡＣＫ／ＮＡＣＫ）ポーリング方式に関する情報と、対応する無線リンク制御／メディアアクセス制御（ＲＬＣ／ＭＡＣ）データブロックのピギーバックＡＣＫ／ＮＡＣＫ（ＰＡＮ）フィールドの存在又は欠如とを同時に示す連続４ビットを含むＲＬＣ／ＭＡＣヘッダを生成するように構成されたコントローラであって、前記連続４ビットのうち１ビットが前記対応するＲＬＣ／ＭＡＣデータブロックの前記ＰＡＮフィールドの存在又は欠如を示すように割り当てられ、前記ＰＡＮフィールドの存在又は欠如を示すように割り当てられたビットと前記連続４ビットのうち残りの３ビットとの複数のビット組合せのそれぞれは、前記ＡＣＫ／ＮＡＣＫポーリング方式と前記対応するＲＬＣ／ＭＡＣデータブロックの前記ＰＡＮフィールドの存在又は欠如との異なる組合せを示す、コントローラと、
前記ＲＬＣ／ＭＡＣヘッダと前記対応するＲＬＣ／ＭＡＣデータブロックとを送信するように構成されたトランシーバと
を備えることを特徴とする装置。
【請求項１４】
前記連続４ビットの前記ＡＣＫ／ＮＡＣＫポーリング方式に関する前記情報は、相対予約ブロック期間（ＲＲＢＰ）インジケータ及び拡張汎用パケット無線サービス（Ｅ−ＧＰＲＳ）補助ポーリング（ＥＳ／Ｐ）インジケータを含むことを特徴とする請求項１３に記載の装置。
【請求項１５】
前記ＲＬＣ／ＭＡＣデータブロックの前記ＰＡＮフィールドは、第１の無線送信／受信ユニット（ＷＴＲＵ）にアドレス指定され、前記ＲＬＣ／ＭＡＣデータブロックのデータは、第２のＷＴＲＵにアドレス指定されていることを特徴とする請求項１３に記載の装置。
【請求項１６】
前記ＲＬＣ／ＭＡＣデータブロックは、ＧＳＭ／ＥＤＧＥ無線アクセスネットワーク（ＧＥＲＡＮ）を介して送信されることを特徴とする請求項１３に記載の装置。